【手続補正書】
【提出日】令和1年5月10日(2019.5.10)
【手続補正１】
【補正対象書類名】明細書
【補正対象項目名】００５６
【補正方法】変更
【補正の内容】
【００５６】
図２には、キャピラリー膜システム２の下部に配置されているドレナージホース１５も図示されているドレナージホースは、その壁にパーフォレーションを有しているため、例えば、創傷内に溜まった浸出液などをこのドレナージホースを介して吸引し、創傷から取り除くことができる。ドレナージホース１５は、同様に、上側１１の相応に適合させた開口部を介してポケット形創傷被覆材１０から外へ引き出され、負圧ユニットなど（図示されていない）に接続可能である。本発明の実施態様の一部を以下の項目［１］−［１５］に記載する。
［１］
少なくとも第１と第２の平坦に形成されたキャピラリー膜システムを含む、創傷治療のための創傷管理システムであって、
前記第１と前記第２の平坦に形成されたキャピラリー膜システムは、それぞれ少なくとも１つの供給ラインに接続されているため、液体、媒体、気体及び／又はその他の物質が前記供給ライン及びそれぞれの前記キャピラリー膜システムを通過可能であり、
前記第１のキャピラリー膜システムの少なくとも１つの前記供給ラインを含む第１の排出ラインによって前記第１のキャピラリー膜システムに取外し可能に接続されており、前記第１のキャピラリー膜システムに洗浄液を供給できるようになっている、出口を備える第１の分配容器と、
前記第２のキャピラリー膜システムの少なくとも１つの前記供給ラインを含む第２の排出ラインによって前記第２のキャピラリー膜システムに取外し可能に接続されており、前記第２のキャピラリー膜システムに治療液剤を供給できるようになっている、出口を備える第２の分配容器と、
負圧ユニットと連結可能であり、治療する創傷から前記液体を排出できるドレナージシステムと、を更に備える創傷管理システム。
［２］
前記第１及び／又は前記第２のキャピラリー膜システムは、互いに平行に配置されたキャピラリー膜からなるマットの形で形成されており、前記マット内の前記キャピラリー膜は、互いに間隔をあけて平行に通る接続エレメントによって相互接続されており、前記接続エレメントによって前記キャピラリー膜相互の間隔が保たれていることを特徴とする、項目１に記載の創傷管理システム。
［３］
前記キャピラリー膜は、糸状の連結エレメントによってマットに接続されていることを特徴とする、項目２に記載の創傷管理システム。
［４］
第１又は第２の前記キャピラリー膜システムの前記キャピラリー膜は、その少なくとも１つの端部がそれぞれ１つの個々の供給ラインの中に埋め込まれていることを特徴とする、項目１〜３のいずれかに記載の創傷管理システム。
［５］
前記第１及び／又は前記第２のキャピラリー膜システムは、それぞれ２つの供給ラインに接続されており、それぞれの前記キャピラリー膜システムの前記キャピラリー膜は、その対向する両側の端部がそれぞれ１つの供給ラインの中に埋め込まれていることを特徴とする、項目１〜３のいずれかに記載の創傷管理システム。
［６］
前記第１及び／又は第２のキャピラリー膜システムの前記キャピラリー膜は、０．０１〜５０ｍＬ／（ｍｉｎ・ｃｍ２・ｂａｒ）の範囲で水に対する膜貫通流量を有していることを特徴とする、項目１〜５のいずれかに記載の創傷管理システム。
［７］
前記第１及び／又は前記第２のキャピラリー膜システムの前記キャピラリー膜は、０．２μｍの公称孔径を有していることを特徴とする、項目１〜６のいずれかに記載の創傷管理システム。
［８］
前記創傷管理システムは、ポケット形創傷被覆材も更に含み、前記ポケット形創傷被覆材は、その外縁部が閉じられ、上側、下側及びポケット内部を有しており、前記下側と前記上側はそれぞれ平坦な材料から形成され、前記下側は液体透過性であり、前記第１と前記第２のキャピラリー膜システムは、前記ポケット内部に配置されていることを特徴とする、項目１〜７のいずれかに記載の創傷管理システム。
［９］
前記ドレナージシステムは、前記ポケット内部に配置されており、前記ポケット形創傷被覆材から外へ引き出されている接続ラインを介して負圧ユニットと接続可能であることを特徴とする、項目８に記載の創傷管理システム。
［１０］
前記ドレナージシステムはドレナージカテーテルであり、前記ドレナージカテーテルは、その断面に液密に適合させた貫通開口部を介して前記ポケット形創傷被覆材から外へ引き出され、負圧ユニットと接続可能であることを特徴とする、項目８に記載の創傷管理システム。
［１１］
前記ポケット形創傷被覆材の前記下側は、フリース状の平坦な材料又は半透過性の微孔性平坦膜からなることを特徴とする、項目８〜１０のいずれかに記載の創傷管理システム。
［１２］
前記ポケット形創傷被覆材の前記下側は、開口部を有していることを特徴とする、項目８〜１１のいずれかに記載の創傷管理システム。
［１３］
前記第１及び前記第２のキャピラリー膜システムは同一であり、唯一の供給キャピラリー膜システムを形成しており、前記供給キャピラリー膜システムは、少なくとも１つの供給ラインに接続され、前記第１の分配容器と前記第２の分配容器は、前記供給キャピラリー膜システムの少なくとも１つの供給ラインを介して前記供給キャピラリー膜システムに接続されていることを特徴とする、項目１〜１２のいずれかに記載の創傷管理システム。
［１４］
前記第２の分配容器の容量に対する前記第１の分配容器の容量の割合は、少なくとも５であることを特徴とする、項目１〜１３のいずれかに記載の創傷管理システム。
［１５］
前記創傷管理システムは、少なくとも１つの別のキャピラリー膜配置を有していることを特徴とする、項目１〜１４のいずれかに記載の創傷管理システム。
【手続補正２】
【補正対象書類名】特許請求の範囲
【補正対象項目名】全文
【補正方法】変更
【補正の内容】
【特許請求の範囲】
【請求項１】
少なくとも第１と第２の平坦に形成されたキャピラリー膜システムを含む、創傷治療のための創傷管理システムであって、
前記第１と前記第２の平坦に形成されたキャピラリー膜システムは、それぞれ少なくとも１つの供給ラインに接続されているため、液体、媒体、気体及び／又はその他の物質が前記供給ライン及びそれぞれの前記キャピラリー膜システムを通過可能であり、
前記第１のキャピラリー膜システムの少なくとも１つの前記供給ラインを含む第１の排出ラインによって前記第１のキャピラリー膜システムに取外し可能に接続されており、前記第１のキャピラリー膜システムに洗浄液を供給できるようになっている、出口を備える第１の分配容器と、
前記第２のキャピラリー膜システムの少なくとも１つの前記供給ラインを含む第２の排出ラインによって前記第２のキャピラリー膜システムに取外し可能に接続されており、前記第２のキャピラリー膜システムに治療液剤を供給できるようになっている、出口を備える第２の分配容器と、
負圧ユニットと連結可能であり、治療する創傷から前記液体を排出できるドレナージシステムと、を更に備える創傷管理システム。
【請求項２】
前記第１及び／又は前記第２のキャピラリー膜システムは、互いに平行に配置されたキャピラリー膜からなるマットの形で形成されており、前記マット内の前記キャピラリー膜は、互いに間隔をあけて平行に通る接続エレメントによって相互接続されており、前記接続エレメントによって前記キャピラリー膜相互の間隔が保たれていることを特徴とする、請求項１に記載の創傷管理システム。
【請求項３】
前記第１及び／又は第２のキャピラリー膜システムの前記キャピラリー膜は、０．１〜５００ｃｍ３／（ｍｉｎ・ｃｍ２・ＭＰａ）（０．０１〜５０ｍＬ／（ｍｉｎ・ｃｍ２・ｂａｒ））の範囲で水に対する膜貫通流量を有していることを特徴とする、請求項１又は２に記載の創傷管理システム。